(57)【要約】    【課題】  仕切り板を起立した状態に保持するための支柱の表面側にねじ類が露出しないキッチンのカウンター装置を提供する。    【解決手段】  キッチンカウンター上に間隔を有して取付ける台座３，３と、台座上に掛け渡す下枠８と、下枠の上から台座に載せて台座３，３上に立設する支柱９，９と、支柱の中を挿通し下端を台座３，３にねじ込むボルト６，６と、支柱の上端に突出するボルト６，６に螺合しボルトを支柱９，９に固定するナット１１，１１と、支柱の上端に掛け渡す上枠１２と、上枠の上から差し込み上枠を支柱側に押付けるキャップ１４，１４と、上枠１２と下枠８間に挟持され、キッチンカウンターに設けられるこんろ側とダイニング側とを仕切る仕切り板１３とを備えるキッチンのカウンター装置。    【選択図】  図１
2005237764.tif 000002
【特許請求の範囲】
【請求項１】
キッチンカウンター上に間隔を有して取付ける台座と、台座上に掛け渡す下枠と、下枠の上から上記台座に載せ台座上に立設する支柱と、支柱の中を挿通し下端を前記台座にねじ込むボルトと、支柱の上端に突出する上記ボルトに螺合しボルトを支柱に固定するナットと、支柱の上端に掛け渡す上枠と、上枠の上から差し込み上枠を支柱側に押付けるキャップと、前記上枠と下枠間に挟持され、キッチンカウンターに設けられるこんろ側とダイニング側とを仕切る仕切り板とを備えるキッチンのカウンター装置。
【請求項２】
キャップを、支柱の上端から突出するボルトにねじ込む請求項１記載のキッチンのカウンター装置。
【請求項３】
台座を、パッキンを介してキッチンカウンター上に取付ける請求項１又は請求項２記載のキッチンのカウンター装置。
【請求項４】
仕切り板の上下端を、下枠と上枠との溝に嵌め込んでなる請求項１〜３のいずれかに記載のキッチンのカウンター装置。
【請求項５】
下枠と上枠との溝に設けたパッキンを介して仕切り板の上下端が嵌め込まれている請求項４記載のキッチンのカウンター装置。
【発明の詳細な説明】
【技術分野】
【０００１】
本発明は、対面式キッチンなどに適用して好適なキッチンのカウンター装置に関する。
【背景技術】
【０００２】
キッチン側とダイニング側とを仕切るように設置する対面式キッチン等において、キッチンのカウンターに設置されるこんろ部分とダイニング側とのカウンター面を区分してダイニング側からこんろ部分を見えにくくしたり、こんろからの油跳ねや煙などのダイニング側への飛散の防止又は安全性の配慮などから、こんろ後方側のカウンター面の左右両側に間隔を有して立設した支柱間に、仕切り板を起立した状態に設けるようにしたキッチン装置が知られている。（特許文献１参照）。
【０００３】
上記で述べた仕切り板の取付けは、こんろ後方側のカウンター面の左右両側に取付けた筒状の台座に外側から円筒状の支柱を差し込み、支柱の下端側を支柱の外側から台座に取付けねじで固定し、左右両側の支柱に設けた溝に仕切り板を嵌め込み、仕切り板の上端小口面に上枠を被せ、支柱の上端にキャップを被せて支柱の上端側に支柱の外側から取付けねじでキャップを固定する方法などが一般的に採られている。
【特許文献１】特開２００３−１０２５６６号公報
【発明の開示】
【発明が解決しようとする課題】
【０００４】
上記で述べたキッチン装置における仕切り板は、仕切り板を起立した状態に保持するために仕切り板の両端に立設される支柱の下端は台座に、また、支柱の上端はキャップにと両方共、支柱の外側から取付けねじを用いて固定する方法であり、取付けねじの頭部が支柱の外面から突出して露出するため、油跳ねなどにより汚れる支柱の清掃時に取付けねじの頭部が邪魔になって清掃しにくく、また、外観も損なうという問題を有していた。
【０００５】
本発明は、仕切り板を起立した状態に保持するための支柱の外表面側にねじ類が露出しないキッチンのカウンター装置を提供するものである。
【課題を解決するための手段】
【０００６】
本発明は、次のものに関する。
（１）キッチンカウンター上に間隔を有して取付ける台座と、台座上に掛け渡す下枠と、下枠の上から上記台座に載せ台座上に立設する支柱と、支柱の中を挿通し下端を前記台座にねじ込むボルトと、支柱の上端に突出する上記ボルトに螺合しボルトを支柱に固定するナットと、支柱の上端に掛け渡す上枠と、上枠の上から差し込み上枠を支柱側に押付けるキャップと、前記上枠と下枠間に挟持され、キッチンカウンターに設けられるこんろ側とダイニング側とを仕切る仕切り板とを備えるキッチンのカウンター装置。
（２）キャップを、支柱の上端から突出するボルトにねじ込む上記（１）記載のキッチンのカウンター装置。
（３）台座を、パッキンを介してキッチンカウンター上に取付ける上記（１）又は（２）記載のキッチンのカウンター装置。
（４）仕切り板の上下端を、下枠と上枠との溝に嵌め込んでなる上記（１）〜（３）のいずれかに記載のキッチンのカウンター装置。
（５）下枠と上枠との溝に設けたパッキンを介して仕切り板の上下端が嵌め込まれている上記（４）記載のキッチンのカウンター装置。
（作用）
【０００７】
カウンター上に取付ける台座の上に下枠を掛け渡し、下枠の上から台座に載せて台座上に支柱を立設し、支柱の中を挿通したボルトの下端を台座にねじ込み、支柱の上端に突出するボルトにナットを螺合してボルトの上端を支柱に固定し、支柱の上端に上枠を掛け渡し、上枠の上からキャップを差し込んで、上枠と下枠との間に仕切り板が挟持されており、支柱内を挿通したボルトの下端はカウンターに固定される台座にねじ込まれ、支柱の上端から突出するボルトの上端にナットを螺合してボルトの上端は支柱に固定され、上枠の上からキャップを差し込んで上枠を支柱側に押付ける構成によって、支柱の外表面にねじ類が露出しない。
また、台座の上に、仕切り板の下端を支持するための下枠を掛け渡すため、下枠下方にカウンター面との隙間が確保される。
【発明の効果】
【０００８】
本発明によるキッチンのカウンター装置によれば、仕切り板を起立した状態に保持するための両端に位置する支柱の表面側にねじ類が露出しないため、油汚れなどの発生時における支柱部分の清掃が容易であるとともに、支柱及び支柱間の仕切り板との全体の意匠性が向上する。
【発明を実施するための最良の形態】
【０００９】
本発明のキッチンのカウンター装置におけるキャップは、上枠を支柱側上端により確実に押し付けられるように、支柱の上端に差し込むのと併せて、キャップに設けた雌螺子に支柱の上端から突出するボルトと螺合してねじ込んで取付けるのがより好ましい。
【００１０】
本発明のキッチンのカウンター装置における台座は、台座下面とカウンター面との間の防水性を配慮して、パッキンを介してキッチンカウンター上に取付けるようにするのが好ましい。なお、台座は、台座の上面側から台座を貫通した固定ねじでカウンターに取付ける。
【００１１】
本発明のキッチンのカウンター装置における仕切り板は、がたつき防止のため、下枠と上枠との溝に設けたパッキンを介して仕切り板の上下端の小口面を嵌め込むようにするのが好ましい。
【００１２】
また、台座上に掛け渡す下枠下方のカウンター面部分の拭き掃除が容易にできるように、下枠の下面とカウンター面との間に、２０〜４０ｍｍ程度の隙間を確保できるようにするのが好ましい。
【００１３】
さらに、仕切り板は、安全性や意匠上での開放感が得られるように、強化ガラスなどを用い、強化ガラスのこんろ側の面を鏡面、ダイニング側の面を梨地などの仕上げ加工とするのが好ましい。
【実施例】
【００１４】
以下、図１〜図３を参照しながら本発明によるキッチンのカウンター装置の実施例を説明する。
図１（ａ）は本発明によるキッチンのカウンター装置における仕切り板を設けるための各部品のカウンターへの設置手順（組立て手順）を示す斜視図、図１（ｂ）は図１（ａ）中の下枠と支柱との組み立て説明を示す拡大斜視図、図２は仕切り板をカウンターに取付けた状態の部分断面図、図３は仕切り板をカウンター上に取付けた状態を示す全体斜視図である。
【００１５】
図３において、キッチン２０側とダイニング側２１とを仕切って設置する対面式キッチンのキャビネット（図示省略）上に載置されるキッチンカウンター１には、こんろ２とシンク（図示省略）等が装着される。
そして、こんろ２の後方側のキッチンカウンター１上に、キッチンカウンター１のキッチン側２０とダイニング側２１を仕切るための強化ガラス（板厚４ｍｍ、幅方向寸法７００ｍｍ、高さ方向寸法１９０ｍｍ）からなる仕切り板１３を起立した状態に保持して設置する。
【００１６】
上記の仕切り板１３を起立した状態に保持して設置するための各部品の組立て手順について説明すると、先ず、こんろ２後方側のキッチンカウンター１上の左右に間隔を有してアルミニウム製の台座３，３（高さ寸法約３５ｍｍ）が取付けられる。左右の台座３，３は、図２に示すように台座３の中心に雌螺子（ねじ径６ｍｍ）が加工され、また、雌螺子の外周側の上下方向に貫通して貫通穴３ａを設け、台座３の下面にパッキン４を介して台座３の貫通孔３ａに固定ねじ５を挿通してキッチンカウンター１に固定する。なお台座３には、図２に示すように台座３の上端側の外周の全体に、後述する支柱９と嵌合するための支柱９の肉厚分程度の切欠（符号省略）が予め設けられている。
次ぎに、図１（ａ）及び図２に示すように、ボルト６（ねじ径６ｍｍの長ボルト）の下部に回り止めのためのナット７を予め螺合しておき、ボルト６下部を台座３の雌螺子に螺合してねじ込みナット７でロックする。
次ぎに、図１（ｂ）に示すように、上面に前記の仕切り板１３の下端を差し込む溝８ａと、両端に切欠８ｂを設けた下枠８の両端を、図１（ａ）及び図２に示すように、溝８ａの面を上にして左右の台座３，３の上に掛け渡して、アルミニウム製からなる円筒状の支柱９（外径３０ｍｍ）をボルト６に通して、支柱９の下端を台座３の上端外周に設けた前記の切欠に嵌合して台座３上に支柱９を立設する。なお、図２に示すように支柱９の上端側には固定座９ｂが取付けられ、また、上下端には図１（ｂ）に示す切欠９ａが設けられており、支柱９の上端から突出するボルト６の先端にワッシャ１０を入れてナット１１で固定する。
【００１７】
さらに、仕切り板１３の下端を、パッキン１５（図２参照）を設けた下枠８の溝８ａに入れ、仕切り板１３の上端を下枠８と同形状とした上枠１２の溝に設けたパッキン１５を介して、上枠１２を上から押さえて、雌螺子を設けたキャップ１４をボルト６の上端にねじ込んで、ボルト６を支柱９に固定する。
【００１８】
なお、図１（ａ）に示すように、下枠８と支柱９は、上枠８の切欠８ｂに支柱９の切欠９ａを差し込み嵌合して組立てる（なお、図示は省略したが、上枠１２と支柱６上端との組立ても同様に行われる）。
【００１９】
このように組立てることで、図３に示すように、支柱９，９間に仕切り板１３が起立した状態に保持される。
【図面の簡単な説明】
【００２０】
【図１】（ａ）は本発明によるキッチンのカウンター装置における仕切り板を設けるための各部品のカウンターへの設置手順（組立て手順）を示す斜視図、（ｂ）は（ａ）中の下枠と支柱との組み立て説明を示す拡大斜視図である。
【図２】仕切り板をカウンターに取付けた状態の部分断面図である。
【図３】仕切り板をカウンター上に取付けた状態の全体斜視図である。
【符号の説明】
【００２１】
１  キッチンカウンター                  ２  こんろ
３  台座                              ３ａ  貫通孔
４  パッキン                            ５  固定ねじ
６  ボルト（長ボルト）                  ７  ナット
８  下枠                              ８ａ  溝
８ｂ  切欠                                ９  支柱
９ａ  切欠                              ９ｂ  固定座
１０  ワッシャ                          １１  ナット
１２  上枠                            １２ａ  溝
１２ｂ  切欠                              １３  仕切り板
１４  キャップ                          １５  パッキン
２０  キッチン側                        ２１  ダイニング側
【図１】
2005237764.tif 000003
【図２】
2005237764.tif 000004
【図３】
2005237764.tif 000005